(57)【特許請求の範囲】
【請求項１】
下折板屋根の山部に設けられた支持金具を介して上折板屋根が設置された折板屋根構造であって、
上折板屋根は、
第１の折板材と、
前記第１の折板材の棟側端部に上方から重ねるようにして接続された第２の折板材と、
前記第１の折板材と第２の折板材との重合部分に介装されると共に前記支持金具よりも棟側に配設された止水材と
を備え、
前記第１の折板材と前記下折板屋根との間に、前記第１の折板材の棟側の端部を支えて前記止水材を支持する補強具が配設されており、
前記補強具は、前記下折板屋根の谷部に載置される載置部を有している
ことを特徴とする折板屋根構造。
【請求項２】
前記第１の折板材は、前記重合部分に、第２の折板材側に突設された堰部と、当該堰部の突出端部に載設された前記止水材とを備えている
ことを特徴とする請求項１記載の折板屋根構造。
【請求項３】
前記第１の折板材が、前記重合部分に、前記第２の折板材側に突設され且つ前記止水材よりも軒側に設けられた桁方向に長い突条部を備えている
ことを特徴とする請求項１又は請求項２のいずれかに記載の折板屋根構造。
【請求項４】
前記第２の折板材側に突出した前記突条部と前記止水材との間に、雨水の浸入を防ぐための減圧空間が設けられている
ことを特徴とする請求項３記載の折板屋根構造。
【請求項５】
前記第２の折板材が、軒側の端部に、前記第１の折板材と前記第２の折板材との間の隙間を軒側から覆う被覆片を備えている
ことを特徴とする請求項１乃至請求項４のいずれか一項に記載の折板屋根構造。
【請求項６】
請求項１乃至請求項５のいずれか一項に記載の折板屋根構造に用いられる補強具であって、
前記第１の折板材における前記第２の折板材側の端部に取り付けられる取付部と、
前記下折板屋根の谷部に載置される載置部と、
前記取付部と前記載置部とを繋ぎ且つ前記止水材を支持する本体部と
を備えている
ことを特徴とする補強具。
【発明の詳細な説明】
【技術分野】
【０００１】
本発明は、下折板屋根上に上折板屋根が葺設された折板屋根構造及びこれに用いられる補強具に関する。
【背景技術】
【０００２】
従来、下折板屋根の山部に設けられた支持金具を介して、当該下折板屋根の上に上折板屋根が設置された折板屋根構造が知られている（例えば特許文献１参照）。この特許文献１記載の折板屋根構造は、下折板屋根と上折板屋根とが、隙間を介して上下二段に形成されている。上下の折板屋根は、山部と谷部が桁方向に並ぶように、且つ山部及び谷部の各長手方向が軒棟方向に沿うようにして配設されている。
【０００３】
上折板屋根は、軒棟方向に複数の折板材（例えば第１の折板材，第２の折板材・・・）を備える。この軒棟方向における複数の折板材は、例えば、第１の折板材の棟側の端部が、当該棟側に位置する第２の折板材によって覆われるよう配置される。そして、この第１の折板材と第２の折板材との重なり合った部分には、雨水の浸入を阻止するため止水材が介装される。この止水材は、下折板屋根上に上折板屋根を支持する支持金具よりも棟側に配設されており、つまり第１の折板材における自由端となった部分に配設されている。
【０００４】
この上折板屋根は下折板屋根とは上下方向に離間して葺設されており、とりわけ、第１の折板材の止水材が配設された部分においては支持されていない。
【先行技術文献】
【特許文献】
【０００５】
【特許文献１】特開２０００−１９９３０３号公報
【発明の概要】
【発明が解決しようとする課題】
【０００６】
ところでこのような折板屋根構造において、作業者は、折板材を軒側から棟側に向けて順に配設する。作業者は軒側の折板材の上に乗って作業を行なう。このとき仮に、作業者が、止水材の配設される自由端部分に乗ってしまった場合には、当該部分が下方に曲がることがあった。この場合、第１の折板材と第２の折板材とを重ね合わせて接続しても、下方に位置する第１の折板材が、第２の折板材から離れる方向に屈曲するため、止水材が十分圧縮されず、止水性能が低下してしまうという問題があった。
【０００７】
また施工する際に、第１の折板材の端部が第２の折板材から離れる方向に屈曲していない場合であっても、第１の折板材の止水材が配設された部分においては支持されていないため、第１の折板材と第２の折板材とを重ね合わせて接続すると、弾性を有するパッキンの反発力により、第１の折板材の端部が下方に押圧され、第１の折板材の端部が下方に撓むことがあった。この場合も同様に、止水材が十分圧縮されず、止水性能が低下してしまう。
【０００８】
本発明は、上記事情に鑑みてなされたものであり、その目的とするところは、下折板屋根上に上折板屋根が隔設された屋根構造において、上折板屋根を構成する折板材の重合部分の止水性能の低下を防ぐことが可能な折板屋根構造及びこれに用いられる補強具を提供することにある。
【課題を解決するための手段】
【０００９】
本発明の折板屋根構造は、下折板屋根１の山部１７に設けられた支持金具７を介して上折板屋根２が設置された折板屋根構造であって、上折板屋根２は、第１の折板材３と、前記第１の折板材３の棟側端部に上方から重ねるようにして接続された第２の折板材４と、前記第１の折板材３と第２の折板材４との重合部分２１に介装されると共に前記支持金具７よりも棟側に配設された止水材３７とを備え、前記第１の折板材３と前記下折板屋根１との間に、前記第１の折板材３の棟側の端部を支えて前記止水材３７を支持する補強具６が配設されており、前記補強具６は、前記下折板屋根１の谷部１８に載置される載置部６２を有していることを特徴とする。
【００１０】
このように本発明の折板屋根構造は、止水材３７が補強具６により支持されているため、仮に、第１の折板材３における止水材３７が配設された部分に作業者が乗ったとしても、第１の折板材３が下方に変形しにくい。すなわち、第１の折板材３における止水材３７が配設された部分が、第２の折板材４から離れる方向に屈曲しにくいため、止水性能が低下しにくい。
【００１１】
そのうえ、第１の折板材３は止水材３７が補強具６により支持されているため、第２の折板材４が接続され、この第２の折板材４により止水材３７が上方から押圧されても、第１の折板材３の端部は撓みにくい。したがって止水材３７を十分に圧縮することができる。
【００１２】
またこの折板屋根構造において、前記第１の折板材３は、前記重合部分２１に、第２の折板材４側に突設された堰部３６と、当該堰部３６の突出端部に載設された前記止水材３７とを備えていることが好ましい。
【００１３】
このような構成によれば、第１の折板材３と第２の折板材４との重合部分２１に雨水が浸入したとしても、この雨水は堰部３６によって堰き止められ、その後止水材３７により止水される。すなわち本発明の折板屋根構造は、少なくとも堰部３６と止水材３７との２重の止水を施すことで止水性能を向上させることができる。しかも第１の折板材３に設けられた堰部３６により、第１の折板材３における止水材３７が配設された部分の強度を向上させることができ、当該部分の変形を一層防ぐことができ、止水性能を一層向上させる。
【００１４】
またこの折板屋根構造において、前記第１の折板材３が、前記重合部分２１に、前記第２の折板材４側に突設され且つ前記止水材３７よりも軒側に設けられた桁方向に長い突条部３５を備えていることが好ましい。
【００１５】
このような構成によれば、第１の折板材３と第２の折板材４との重合部分２１に雨水が浸入したとしても、その雨水の浸入を突条部３５により阻止することができる。しかも、この突条部３５は、桁方向に長く形成されているため、第１の折板材３の剛性を高めることができる。
【００１６】
またこの折板屋根構造において、前記第２の折板材４側に突出した前記突条部３５と前記止水材３７との間に、雨水の浸入を防ぐための減圧空間５１が設けられていることが好ましい。
【００１７】
このように本発明の折板屋根構造は、軒棟方向において突条部３５と止水材３７との間に減圧空間５１が設けられているため、第１の折板材３と第２の折板材４との間で毛細管現象が生じ、雨水を引き込んでしまったとしても、減圧空間５１よりも止水材３７側への浸水を防ぐことができる。
【００１８】
またこの折板屋根構造において、前記第２の折板材４が、軒側の端部に、前記第１の折板材３と前記第２の折板材４との間の隙間を軒側から覆う被覆片４４を備えていることが好ましい。
【００１９】
このように本発明の折板屋根構造は被覆片４４を有しているため、第１の折板材３と第２の折板材４との間に隙間が生じたとしても、その被覆片４４によって風雨を遮ることができ、止水材３７による止水性の確保に加えて、より一層浸水を防止することができる。
【００２０】
本発明の補強具６は、上述の折板屋根構造に用いられる補強具６であって、前記第１の折板材３における前記第２の折板材４側の端部に取り付けられる取付部６１と、前記下折板屋根１の谷部１８に載置される載置部６２と、前記取付部６１と前記載置部６２とを繋ぎ且つ前記止水材３７を支持する本体部６３とを備えていることを特徴とする。
【００２１】
このように本発明の補強具６は、第１の折板材３に取り付けることができるため、施工時にずれることがなく、作業性を向上させる。
【発明の効果】
【００２２】
本発明の折板屋根構造及びこれに用いられる補強具によれば、下折板屋根上に上折板屋根が隔設された屋根構造において、上折板屋根における複数の折板材の重合部分の止水性能の低下を防ぐことができる。
【図面の簡単な説明】
【００２３】
【図１】本発明の一実施形態の折板屋根構造の側断面図である。
【図２】同上の実施形態の第２の折板材を葺設する直前の側面図である。
【図３】同上の実施形態の上折板屋根の分解斜視図である。
【図４】同上の実施形態の補強具の斜視図である。
【図５】同上の実施形態の支持金具の斜視図である。
【図６】同上の実施形態の支持金具の使用状態を示す断面図であり、（ａ）ははぜ継ぎ部分の形状が角はぜ形状のものであり（ｂ）は丸はぜ形状のものである。
【図７】同上の実施形態の上折板屋根を説明するための図であり、（ａ）は分解斜視図（ｂ）は平面図（ｃ）ははぜ継ぎ部分の要部断面図である。
【図８】比較例の上折板屋根を説明するための図であり（ａ）は分解斜視図（ｂ）は平面図（ｃ）ははぜ継ぎ部分の要部断面図である。
【図９】参考例の折板屋根構造を示す断面図である。
【図１０】図１〜７の実施形態の上折板材の排水状態を示す斜視図である。
【図１１】第１の折板材の変形例を示す斜視図である。
【図１２】第１の折板材の変形例を示す斜視図である。
【図１３】第１の折板材の変形例を示す斜視図である。
【発明を実施するための形態】
【００２４】
以下、本発明の実施形態について添付図面に基づいて説明する。
【００２５】
本実施形態の折板屋根構造は、既設の下折板屋根１を改修するため当該下折板屋根１上に新設の上折板屋根２を葺き替えたものであり、下折板屋根１の上に、全面に亘って略一定の間隔を介して上折板屋根２が葺設され、上下２段となるよう構成されている。
【００２６】
下折板屋根１は、図２に示されるように、既設の折板屋根であって、母屋１６上に固設されたタイトフレーム１４を介して設置されている。下折板屋根１は、山部１７と谷部１８が桁方向に並ぶように且つ山部１７と谷部１８の各長手方向が軒棟方向に沿うようにして設置される。下折板屋根１は、正面視略Ｖ字状をした複数の下折板屋根材１０を備えている。各下折板屋根材１０は、図６等に示されるように、平坦部１１と、この平坦部１１の長手方向に直角な方向の両端から上方に連設された一対の立設部１３と、この立設部１３の桁方向端部に設けられた連結部１２とを備えており、この平坦部１１と立設部１３と連結部１２とは、一枚の金属板を曲げ加工することで形成されている。下折板屋根１は、この連結部１２同士並びにタイトフレーム１４の吊子を相互に連結することで固設される。
【００２７】
タイトフレーム１４は、複数の突出部１５を有しており、この突出部１５の頂部に吊子１４１が取り付けられている。この吊子１４１には下折板屋根１の連結部１２がはぜ継ぎにより締結される。このタイトフレーム１４は、母屋１６に沿って複数並設される。なお母屋１６は、既存の外装下地材であって、例えばＨ型綱やＣ型綱やリップ溝型綱などにより構成されている。
【００２８】
下折板屋根材１０を設置するには、次のようにして施工する。まず、母屋１６に沿ってタイトフレーム１４を複数並設する。次いで、略Ｖ字状の下折板屋根材１０を、タイトフレーム１４の一対の突出部１５間に形成される凹所１９内に嵌入し、当該下折板屋根材１０の長手方向を軒棟方向に沿わせるよう配置する。これにより複数の下折板屋根材１０が、母屋１６の長手方向（桁方向）に並ぶようにして配置される。そして、隣接する下折板屋根材１０の連結部１２同士をはぜ継ぎにより接合する。このとき、吊子１４１も共に折り曲げるようにすることで、下折板屋根材１０とタイトフレーム１４とを吊子１４１を介して連結することができる。この隣接する立設部１３により構成された山状の部分が、下折板屋根１における山部１７となる。
【００２９】
なお、この下折板屋根１の取り付けにおいては、はぜ締めによる接合でなくてもよく、例えば、ボルト留めや嵌合方式であってもよい。また、本実施形態の折板屋根構造においては、はぜ継ぎ部分の形状を、図６（ａ）等に示すような角ハゼ形状としたが、図６（ｂ）に示すような丸ハゼ形状としたものであってもよい。
【００３０】
このように設置された下折板屋根１を改修するために、当該下折板屋根１上に上折板屋根２が葺設される。この上折板屋根２は、図６に示されるように、既設の下折板屋根１の山部１７に装着された支持金具７上に取り付けられる。上折板屋根２は複数の折板材を備えており、これら複数の折板材が、軒棟方向に端部同士を重合した状態で接続され、桁方向にはぜ締めにより相互に連結される。以下、軒側の折板材を第１の折板材３とし、そのすぐ棟側の折板材を第２の折板材４として説明する。
【００３１】
上折板屋根２は、図３に示されるように、第１の折板材３と、この第１の折板材３の棟側端部に上方から重ねるようにして接続された第２の折板材４と、この第１の折板材３と第２の折板材４との重合部分２１に介装された止水材３７とを備えている。
【００３２】
第１の折板材３は、断面略Ｖ字状をしており、下折板屋根１の下折板屋根材１０と略同じ断面形状をしている。第１の折板材３は、平坦部３１と、この平坦部３１の長手方向に直角な方向の両端から上方に向けて連設された一対の立設部３２と、立設部３２の桁方向の端部に設けられた連結部３３とを備えており、この平坦部３１と立設部３２と連結部３３とは、一枚の金属板を曲げ加工することで形成されている。
【００３３】
第１の折板材３は、棟側の端部に、第２の折板材４によって上方から被覆される部分となる重合部３４を有している。第１の折板材３は、図１，３に示されるように、この重合部３４に、突条部３５と堰部３６と止水材３７とを備えている。
【００３４】
突条部３５は、図３等に示されるように、軒棟方向に対し交差する方向に長手方向を有するリブ３５１を備えており、このリブ３５１が軒棟方向に並ぶように複数並設されることで構成されている。本実施形態のリブ３５１は、その長手方向が軒棟方向に直角な方向となるようにして形成されている。このリブ３５１は、上方に向けて突出し且つ背面が凹となるようエンボス加工により形成されている。このリブ３５１は、軒棟方向に連通する水抜き路３５２を複数箇所に有している。この水抜き路３５２は、軒棟方向に隣接する他のリブ３５１の水抜き路３５２に対して、軒棟方向に重ならないよう形成されている。なお本実施形態の突条部３５は、その突出高さが、堰部３６の上端と略同じか又はそれよりも低く形成されているが、この突条部３５は、例えば第２の折板材４の裏面に接するよう突設されたものであってもよく、突出高さは特に限定されるものではない。
【００３５】
この突条部３５と堰部３６との間には、毛細管現象による雨水の引き込みを防止する減圧空間５１が形成されている。減圧空間５１は、第１の折板材３と第２の折板材４との上下方向の対向間の寸法が、突条部３５の突出端部と第２の折板材４との間の対向間の寸法よりも大きくなっている。減圧空間５１は、突条部３５により形成されている。減圧空間５１は、軒棟方向に並設された一対のリブ３５１により形成された第１の減圧空間５１ａと、棟側のリブ３５１と堰部３６とにより形成された第２の減圧空間５１ｂとを有している。この減圧空間５１は、第１の折板材３と第２の折板材４とで発生する毛細管現象による雨水の引き込みを断ち切り、それよりも棟側への浸水を防ぐ。この減圧空間５１の棟側には堰部３６が設けられている。
【００３６】
堰部３６は、図１等に示されるように、突条部３５よりも棟側に位置するよう設けられており、第１の折板材３の棟側の端縁に形成されている。この堰部３６は、第２の折板材４側に向けて平坦部３１又は立設部３２から略直角に突出する立面部３６１と、この立面部３６１の上端から棟側に向けて連設された止水材配設部３６２とから構成されており、これらが断面Ｌ字状に屈曲されて形成されている。堰部３６は、平坦部３１と立設部３２とに跨るようにして設けられている。
【００３７】
堰部３６には、図１に示されるように、当該堰部３６の棟側の端部から補強具取付片３８が延設されている。本実施形態の補強具取付片３８は、堰部３６の止水材配設部３６２の端部により構成されている。この補強具取付片３８には、上下に貫通する取付孔（図示せず）が穿設されている。
【００３８】
第１の折板材３のこの補強具取付片３８には、止水材３７を支持するための補強具６が取り付けられる。この補強具６は、図４に示されるように、補強具取付片３８に取り付けられる取付部６１と、下折板屋根１の上面に当接する載置部６２と、取付部６１と前記載置部６２とを繋ぎ且つ止水材３７の下方を支持する本体部６３とを備え、これらは一つの金属板を曲げ加工することで形成されている。取付部６１は、補強具取付片３８を上下方向から挟持するよう構成されており、固着具挿通孔６４が上下に貫通するようにして穿設されている。本体部６３と載置部６２とは断面略Ｌ字形状に形成されており、載置部６２の端部が棟側に臨むよう配置される。この補強具６は、第１の折板材３の平坦部３１と、下折板屋根１の平坦部１１との間に配設され、下折板屋根１の平坦部１１により支持される。
【００３９】
補強具６は、その取付部６１を第１の折板材３の補強具取付片３８に挟み込み、その後、固着具挿通孔６４及び補強具取付片３８の取付孔に、ビス等の固着具８を上方から挿入することで取り付けられる。補強具６は、第１の折板材３に固定的に取り付けられ、作業時にずれたり外れたりしないようになっている。
【００４０】
止水材３７は、帯状のゴムパッキンにより構成されている。止水材３７は、第１の折板材３の止水材配設部３６２に接着により固定されている。止水材３７は、上折板屋根２を支持する支持金具７よりも棟端縁側に配設されると共に、第１の折板材３の棟側の端部周縁全長に亘って配設される。
【００４１】
第２の折板材４は、図３に示されるように、第１の折板材３と同じような構造になっており、断面略Ｖ字状をしている。第２の折板材４は、その断面形状が第１の折板材３と略同じ形状に形成されており、第１の折板材３と略平行な状態で重ね合わせることができる。第２の折板材４は、第１の折板材３と同様に、平坦部４１と、この平坦部４１の長手方向に直角な方向の両端から上方に向けて連設された一対の立設部４２と、この立設部４２の桁方向端部に設けられた連結部４３とを備えており、この平坦部４１と立設部４２と連結部４３とは、一枚の金属板を曲げ加工することで形成されている。
【００４２】
第２の折板材４は、軒側の端部に被覆片４４が連設されている。この被覆片４４は、その突出先端が第１の折板材３に近接対向するよう構成されており、第２の折板材４の軒側の端部を第１の折板材３側に曲げ加工することで形成されている。これにより被覆片４４は、第１の折板材３と第２の折板材４との間の隙間を覆う。
【００４３】
なお、第２の折板材４の棟側の端部には、第１の折板材３と同様に、突条部３５・堰部３６・止水材３７等が形成されており、第３の折板材（図示せず）の端部が被覆され接続される。また、第１の折板材３の軒側の端部には、第２の折板材４と同様に、被覆片４４が形成されている。
【００４４】
支持金具７は、既設の下折板屋根１の山部１７に取り付けられ、この下折板屋根１の上方に一定の隙間を形成した状態で上折板屋根２を配設する。本実施形態の支持金具７は、図５，６に示されるように、支持具本体の下部に設けられると共に下折板屋根１の山部１７の傾斜面に装着される逆Ｖ形状をした取着部７１と、支持具本体にボルトにより固定された吊子７２とを備えている。
【００４５】
このような構成の上折板屋根２は、次のようにして下折板屋根１上に葺設される。
【００４６】
まず作業者は下折板屋根１の山部１７の所定の箇所に、複数の支持金具７を固設する（図６参照）。支持金具７の取着部７１を下折板屋根１の山部１７に載置した状態で、取着部７１・下折板屋根材１０の立設部１３・タイトフレーム１４の順にボルトを貫通させ、支持金具７を下折板屋根１の山部１７に載設する。次に、支持金具７の上方から上折板屋根２の第１の折板材３を所定の位置に配置し、その後、第１の折板材３の重合部３４を被覆するようにして第２の折板材４の軒側の端部を重ね合わせる。
【００４７】
次いで、桁方向に隣接する谷部１８に別の折板材を配設する。本実施形態の折板屋根構造では、図７（ｂ）に示すように、上記第１の折板材３と第２の折板材４との重合部分２１に、隣接する折板材の重合部分２１が重ならないように配置する。すなわち桁方向に並ぶ各重合部分２１を、軒棟方向にずれるよう配設する。そして、この状態で順次連結部３３（４３）同士をはぜ継ぎ締結してゆく。なお、このはぜ継ぎ締結の作業には、手動または自動による専用のカシメ工具を使用する。このようにして上折板屋根２を下折板屋根１の上に葺設することができる。
【００４８】
ここで、本実施形態の折板屋根構造は、図２に示されるように、上折板屋根２を支持する支持金具７が、第１の折板材３の棟側の端縁よりも軒側に位置しており、したがって補強具６が取り付けられていない状態では棟側の端縁が自由端となる。そのため補強具６が取り付けられていない従来の折板屋根構造においては、屋根葺き作業に際し、この部分に作業者が乗ってしまうと、下方に屈曲してしまうおそれがある。とりわけこの自由端の部分には止水材３７が配設されるため、この端部が第２の折板材４から離れる方向に屈曲すると、十分な止水性能が得られないという問題が生じてしまう。
【００４９】
しかし本実施形態の折板屋根構造は、第１の折板材３の棟側の端部に補強具６が取り付けられており、止水材３７が配設される部分が補強具６により支持されている。このため、仮に、第１の折板材３における止水材３７が配設された部分に作業者が乗ったとしても、第１の折板材３が下方に変形しにくい。すなわち、第１の折板材３における止水材３７が配設された部分が、第２の折板材４から離れる方向に屈曲しにくいため、止水性能が低下しにくい。
【００５０】
そのうえ、第１の折板材３は止水材３７が補強具６により支持されているため、第２の折板材４が接続され、この第２の折板材４により止水材３７が上方から押圧されても、第１の折板材３の端部は撓みにくい。したがって止水材３７を十分に圧縮することができ、止水性能を向上させることができる。
【００５１】
この点、例えば図９のように、上折板屋根２の平坦部２２が下折板屋根１の平坦部１１に当接するように、上折板屋根２の形状を下折板屋根１の形状とは異ならせることも考えられる。しかしながら、このような場合には下折板屋根１とは別の上折板屋根２を製造するための設備が必要となり、設備投資費用が莫大にかかるという問題がある。一方、本実施形態の折板屋根構造では、上折板屋根２と下折板屋根１とが略同じ形状となっているから、同じ製造設備を使用することができる。しかも、少なくとも既存の折板屋根と同等の強度や排水性能を確保できるという利点もある。
【００５２】
また、本実施形態の折板屋根構造は、上折板屋根２に積雪し、第２の折板材４に過度な荷重を受けたとしても、第１の折板材３と下折板屋根１との間に補強具６が配設されているから、止水材３７を介して第１の折板材３の棟側の端部が下方に押圧されたとしても、その部分が下方に屈曲して変形するのを防止できる。
【００５３】
また本実施形態の折板屋根構造は、突条部３５が設けられているため、第１の折板材３と第２の折板材４との密着を防ぐことができる。しかもこの突条部３５は、当該突条部３５の棟側に且つ第１の折板材３と第２の折板材４との間に減圧空間５１を形成する。第１の折板材３と第２の折板材４との密着を防ぐことで、毛細管現象の発生を防ぐことができるうえに、それに加え減圧空間５１が形成されるから、より一層、毛細管現象の発生による浸水を防ぐことができる。
【００５４】
しかも本実施形態の折板屋根構造は、突条部３５によって形成された第１の折板材と第２の折板材との間の隙間を、被覆片４４によって覆うよう構成されている。したがって、この被覆片４４によって風雨を遮ることができ、一層、止水性を確保することができる。
【００５５】
さらに、この第２の折板材４における自由端が強風に煽られる等で、軒側の第１の減圧空間５１ａの隙間が小さくなり、仮に、第１の折板材３と第２の折板材４との間で毛細管現象が生じても、本実施形態の折板屋根構造は第２減圧空間５１ｂが第１の減圧空間５１ａの棟側に並設されているため、第２の減圧空間５１ｂが作用して、浸水を一層防止することができる。
【００５６】
また突条部３５は、第１の折板材３や第２の折板材４に製造上のひずみや寸法のばらつきがあったとしても、そのひずみやばらつきに影響を受けることなく第１の折板材３と第２の折板材４との密着を防ぐことができ、毛細管現象の発生を低減させることができるので、確実に止水効果を発揮することができる。
【００５７】
しかもこの突条部３５は、軒棟方向に並設された複数のリブ３５１により構成されているため、強風が第１の折板材３と第２の折板材４の間に吹き込んでも、この風圧を徐々に減圧することができ、風に乗った雨水の浸入を防ぐことができる。しかもこの突条部３５は、桁方向に長く形成されているため、第１の折板材３の剛性を高めることができる。
【００５８】
また本実施形態の折板屋根構造は、仮に、減圧空間５１に雨水が入り込んだ場合であっても、図１０の矢印のように、雨水は、立設部３２に設けられた突条部３５を伝って平坦部３１に導かれ、その後軒棟方向の傾斜により軒側に流れる。このとき突条部３５は水抜き路３５２を有しているため、この水抜き路３５２を通して雨水を排水することができる。これにより、減圧空間５１に水が滞留することによる錆や腐食の発生を防ぐことができる。
【００５９】
さらに本実施形態の折板屋根構造は、図１に示されるように、被覆片４４によって一次止水を行い、突条部３５や減圧空間５１によって二次止水を行い、さらに堰部３６によって三次止水を行い、最終的に止水材３７によって四次止水を行なうよう構成されているから、確実な止水を行なうことができる。
【００６０】
しかも本実施形態の折板屋根構造は、第２の折板材４側に突出した堰部３６上に止水材３７が配設されているため、止水材３７が配設された部分の強度をより向上させることができる。
【００６１】
また、本実施形態の折板屋根構造は、第１の折板材３と第２の折板材４とを接続した重合部分２１が、すぐ隣に位置する重合部分２１と桁方向に重ならないよう、軒棟方向にずれて配置されている。このため、隣接する重合部分２１同士が桁方向に重なった構造に比べて、折板材同士をかしめたときに隙間が発生しにくい。すなわち、図７（ｃ）に示されるように、本実施形態の折板屋根構造は、折板材が３重となっているのに対し、隣接する重合部分２１同士が桁方向に重なった構造では折板材が４重となっている（図８参照）。つまり、本実施形態の折板屋根構造は、かしめる折板材の重なり数が少なくなっているため、確実にかしめることができ、その結果、止水性能が向上する。
【００６２】
なお、本実施形態の第１の折板材３の突条部３５は、長手方向が軒棟方向に直角な方向となった複数のリブ３５１により構成されていたが、例えば次のような構造であってもよい。以下、突条部３５の変形例を示す。
【００６３】
変形例１は、図１１に示されるように、立設部３２に設けられたリブ３５１が下方ほど棟側に位置するよう傾斜しており、平坦部３１に設けられたリブ３５１が、逆ハ字状となっており且つ中央側ほど軒側に位置するよう傾斜している。この平坦部のリブ３５１には中央側に水抜き路３５２が形成されている。
【００６４】
変形例２は、図１２に示されるように、突条部３５に替えて、平面視楕円形状の突部３９が一直線状に配列されている。一直線状に配列された突部３９は、軒棟方向に並ぶよう並設されている。各突部間には水抜き路３５２が形成されている。
【００６５】
変形例３は、図１３に示されるように、突条部３５のリブ３５１の軒棟方向に並設された列数が、４列ではなく２列となった例である。
【００６６】
以上のように構成された突条部３５であっても、本実施形態の折板屋根構造における突条部３５と同じ効果を得ることができる。
【００６７】
以上、本発明の折板屋根構造を、既設折板屋根上に新設の折板屋根を葺き替える折板屋根構造に基づいて説明したが、本発明の折板屋根構造は二重折板屋根構造であればよく、葺き替え構造にのみ限定されない。本発明の折板屋根構造は、例えば、下折板屋根と上折板屋根とをいずれも新設の折板屋根とした二重折板屋根構造に対しても適用可能である。
【符号の説明】
【００６８】
１      下折板屋根
１０    下折板屋根材
１１    平坦部（下折板屋根材）
１２    連結部（下折板屋根材）
１３    立設部（下折板屋根材）
１４    タイトフレーム
１４１  吊子
１５    突出部
１７    山部
１８    谷部
１９    凹所
２      上折板屋根
２１    重合部分
３      第１の折板材
３１    平坦部（第１の折板材）
３２    立設部（第１の折板材）
３３    連結部（第１の折板材）
３４    重合部
３５    突条部
３６    堰部
３７    止水材
４      第２の折板材
４１    平坦部（第２の折板材）
４２    立設部（第２の折板材）
４３    連結部（第２の折板材）
４４    被覆片
５１    減圧空間
６      補強具
６１    取付部
６２    載置部
６３    本体部
７      支持金具
【図１】
0005735794.tif 000002
【図２】
0005735794.tif 000003
【図３】
0005735794.tif 000004
【図４】
0005735794.tif 000005
【図５】
0005735794.tif 000006
【図６】
0005735794.tif 000007
【図７】
0005735794.tif 000008
【図８】
0005735794.tif 000009
【図９】
0005735794.tif 000010
【図１０】
0005735794.tif 000011
【図１１】
0005735794.tif 000012
【図１２】
0005735794.tif 000013
【図１３】
0005735794.tif 000014